(57)【特許請求の範囲】
【請求項１】
弾性部材から成り複数の貫通孔を有するボードと、
前記ボード表面に掲示物を保持する複数の保持手段とを備え、
前記保持手段が、前記貫通孔に挿入される脚部と、該脚部に連続し前記ボードに向かって弾性的に付勢力を付与させる頭部とを有し、
前記頭部と前記ボードとの間で前記掲示物を押圧して挟持することで、
前記ボード表面に掲示物を貼り付けた状態に保持すると共に、
前記保持手段の前記頭部の端部付近を押して前記ボードに対して弾性的に回動させることにより、前記掲示物の挟持又は解除を行うように構成したことを特徴とする掲示具。
【請求項２】
前記保持手段が、前記ボードに向かって突出する突起部を有する請求項１に記載の掲示具。
【請求項３】
前記脚部及び前記貫通孔が多角形断面を有することにより、該脚部が該貫通孔に対して回動不可能である請求項１乃至請求項２のいずれかに記載の掲示具。
【請求項４】
前記脚部が、前記ボードの裏面側に膨出する拡幅部を備えた請求項１乃至請求項３のいずれかに記載の掲示具。
【発明の詳細な説明】
【技術分野】
【０００１】
本発明は、ポスター等の掲示物を貼り付けた状態に保持する掲示具及び保持手段に関する。
【背景技術】
【０００２】
従来から、ポスターを掲示するための掲示板について案出されている（例えば、特許文献１参照。）。この掲示板は、ポスターを掲示するために繰り返して使用でき、ポスターを確実且つ容易に、しかも外観よく掲示し得るように考慮されている。しかし、どんな大きさの掲示物でも画鋲やマグネット無しで、より容易且つ確実に掲示でき、しかも外観上も、より好ましい掲示具が望まれている。
【特許文献１】特開２００４−２８７３７５号公報
【発明の開示】
【発明が解決しようとする課題】
【０００３】
そこで、本発明者は、このような課題の原因を究明してこのような課題を解決するべく、鋭意研究を重ねた結果、本発明に至ったのである。
【０００４】
すなわち、本発明は、より容易且つ確実に掲示でき、しかも外観上より好ましい掲示具及び保持手段を提供することを目的とする。
【課題を解決するための手段】
【０００５】
本発明の掲示具は、弾性部材から成り複数の貫通孔を有するボードと、前記ボード表面に掲示物を貼り付けた状態に保持する複数の保持手段と、を備え、前記保持手段が、前記貫通孔に挿入される脚部と、該脚部に連続し前記ボードに向かって弾性的に付勢力を付与される頭部と、を有し、前記頭部と前記ボードとの間で前記掲示物を押圧して挟持することを特徴とする。
【０００６】
本発明の掲示具は、前記掲示具において、前記保持手段が、前記頭部の端部付近を押して前記ボードに対して弾性的に回動させることにより、前記掲示物の挟持又は解除を行うように構成されたことを特徴とする。
【０００７】
本発明の掲示具は、前記掲示具において、前記保持手段が、前記ボードに向かって突出する突起部を有することを特徴とする。
【０００８】
本発明の掲示具は、前記掲示具において、前記脚部及び前記貫通孔が多角形断面を有することにより、該脚部が該貫通孔に対して回動不可能であることを特徴とする。
【０００９】
本発明の掲示具は、前記掲示具において、前記脚部が、前記ボードの裏面側に膨出する拡幅部を備えたことを特徴とする。
【００１０】
本発明の保持手段は、弾性部材から成り複数の貫通孔を有するボードの表面に掲示物を貼り付けた状態に保持するための保持手段であり、前記貫通孔に挿入される脚部と、該脚部に連続し前記ボードに向かって弾性的に付勢力を付与される頭部と、を有し、前記頭部と前記ボードとの間で前記掲示物を押圧して挟持することを特徴とする。
【発明の効果】
【００１１】
本発明の掲示具及び保持手段によれば、保持手段を指で押すことのみによって掲示物の取り付け又は取り外しができる。このため、より容易且つ確実に掲示物を貼り付けることができる。また、複数の保持手段をボードの表面に整列して取り付けておけば、外観上も好ましい。
【発明を実施するための最良の形態】
【００１２】
次に、本発明に係る掲示具及び保持手段の実施の形態について、図面に基づいて詳しく説明する。
【００１３】
図１乃至図３において、符号１０は、本発明の掲示具であり、符号１２は、本発明の保持手段である。
【００１４】
掲示具１０は、弾性部材から成り複数の貫通孔１４を有するボード１６と、ボード１６表面にポスター（掲示物）１８を貼り付けた状態に保持する複数の保持手段１２と、を備えている。
【００１５】
保持手段１２は、貫通孔１４に挿入される脚部２２と、脚部２２に連続しボード１６に向かって弾性的に付勢力を付与される頭部２４と、を有し、頭部２４とボード１６との間でポスター１８を押圧して挟持するように構成されている。また、保持手段１２は、頭部２４の端部付近を図３に示すように指で押すことにより、ボード１６に対して弾性的に回動させ、これによりポスター１８の挟持又は解除を行うことができるように構成されている。さらに、保持手段１２は、ボード１６に向かって突出する突起部２６を有し、この突起部２６をポスター１８に突刺してポスター１８が落下しないように保持できるように構成されている。
【００１６】
この保持手段１２の脚部２２及びボード１６の貫通孔１４は、正方形断面（多角形断面）を有し、貫通孔１４に挿入した脚部２２が貫通孔１４に対して回動不可能であるように構成されている。また、脚部２２は、ボード１６の裏面側に膨出する拡幅部２８を有し、脚部２２がボード１６から抜出するのを防止できるように構成されている。この拡幅部２８の先端側は、貫通孔１４に挿入しやすいようにテーパ部３０を有している。
【００１７】
この掲示具１０は、長方形のボード１６に枠３２及び周囲カバー３４を取り付け、ボード１６の複数の貫通孔１４に複数の保持手段１２を挿入して固定することにより製造される。ボード１６の材質は、弾性部材であれば、樹脂、木材、ゴム等、特に限定されない。また、保持手段１２の材質は、変形しないものであれば特に限定されない。
【００１８】
このような構成の本発明に係る掲示具１０及び保持手段１２の作用及び効果について以下に説明する。
【００１９】
掲示具１０にポスター１８を貼り付ける場合、図３に示すように、保持手段１２の頭部２４の上方の端部付近を指３６で押して保持手段１２をボード１６に対して弾性的に回動させることにより、頭部２４の下方の裏側に隙間を生じさせた状態で、ポスター１８をその隙間に下から挿入し、指３６を放す。これにより、図１に示すように、頭部２４とボード１６との間でポスター１８が押圧されて挟持される。図１においては、ポスター１８は６個の保持手段１２によって挟持されている。
【００２０】
この時、ボード１６の弾性力によってポスター１８に頭部２４から付勢力が付与されることにより、頭部２４とボード１６との間でポスター１８が押圧されて挟持される。また、突起部２６がポスター１８に突刺されることにより、ポスター１８は安定して保持され、風や揺れによってもポスター１８が頭部２４とボード１６との間から外れて落下することはない。
【００２１】
次に、ポスター１８を取り外す必要が生じた場合、図３に示すように、保持手段１２の頭部２４の上方の端部付近を指３６で押して保持手段１２をボード１６に対して弾性的に回動させることにより、頭部２４の下方の裏側に隙間を生じさせた状態で、ポスター１８をその隙間から取り外す。また、不要となったポスター１８の場合には、ポスター１８の下部付近を手で強く持って下へ引き、ポスター１８の上部付近を破砕しながら取り外しても良い。
【００２２】
このような掲示具１０及び保持手段１２によれば、上記のように、保持手段１２を指３６で押すことのみによってポスター１８の取り付け又は取り外しができる。このため、より容易且つ確実にポスター１８を貼り付けることができる。また、複数の保持手段１２をボード１６の表面に整列して取り付けておけば、外観上も好ましい。特に、図１に示すように、正方形の頭部２４を４５°に傾斜させ、頭部２４同志の隙間の幅が一定になるように等間隔で整列させれば、鱗状の模様を描くため、外観上好ましい。
【００２３】
頭部２４の端部付近を押すことによって、保持手段１２をボード１６に対して弾性的に回動させてポスター１８の挟持又は解除を行う構造であるため、バネ等の付勢手段を特に設ける必要がない。このため、掲示具１０及び保持手段１２をコンパクトに構成でき、これにより外観も好ましくなる。
【００２４】
また、保持手段１２の脚部２２及びボード１６の貫通孔１４が、正方形断面を有し、貫通孔１４に挿入した脚部２２が貫通孔１４に対して回動不可能であるため、保持手段１２が貫通孔１４に対して自由回動して保持する突起部２６の位置が不規則に変わってしまうことがない。このため、確実に突起部２６をポスター１８に突刺して容易にポスター１８を保持できる。
【００２５】
また、脚部２２の拡幅部２８によって脚部２２がボード１６から抜出するのを防止する構造であるため、抜け止め手段を別途設ける必要がない。また、テーパ部３０からボード１６に圧入して容易に取り付けることができる。また、ボード１６が弾性部材であるため、頭部２４を保持して強く抜き出せば、容易に取り外すことができる。
【００２６】
以上、本発明の一実施形態について図面に基いて説明したが、本発明は、上述した実施形態には限定されない。
【００２７】
例えば、掲示具１０において、図４に示すように、ポスター１８を保持しない保持手段１２を取り外し、ポスター１８を保持する保持手段１２のみを残しても良い。この場合、取り外した保持手段１２は、他の掲示具１０のために利用できる。
【００２８】
また、掲示具１０において、図５に示すように、保持手段１２及び貫通孔１４を図１の場合よりも少なく構成しても良い。この場合でも、保持手段１２を等間隔で整列しているとともに貫通孔１４が見えないため、外観上好ましい。なお、ボード１６は、周囲の環境に対応した色彩にすることが望ましい。
【００２９】
また、保持手段は図６に示すような保持手段５０であっても良い。この保持手段５０は、円形断面を有する脚部５２と円形の頭部５４とを備えている。この場合、貫通孔５６も円形断面を有しており、脚部５２が貫通孔５６に対して自由回動する。このため、確実に突起部２６をポスター１８に突刺するためには、突起部２６を頭部５４の外周に沿って多数個設けておくことが望ましい。
【００３０】
また、保持手段１２において、図７に示すように、図２のような突起部２６を設けなくとも良い。この場合、図８に示すように、ポスター１８の上端を保持手段１２（ａ）の下部付近によって挟持するとともに、ポスター１８の下端を保持手段１２（ｂ）の上部付近によって挟持すれば、ポスター１８が落下しないように保持でき、しかもポスター１８に孔ができるのを防止できる。ここに、ポスター１８の下端を保持手段１２（ｂ）の脚部２２に接触させることが望ましい。なお、図７において、保持手段１２には、保持手段１２（ａ）及び１２（ｂ）を含む。
【００３１】
以上、本発明の実施形態について図面に基いて説明したが、本発明は、図示した実施形態には限定されない。例えば、本発明の掲示具及び保持手段によって保持する掲示物は、ポスターに限定されず、写真や絵等でも良い。また、本発明を使用する場所は、工場内や社内のような屋内、公園や広場のような屋外等、特に限定されない。
【００３２】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００３３】
本発明の掲示具及び保持手段によれば、保持手段を指で押すことのみによって掲示物の取り付け又は取り外しができ、より容易且つ確実に掲示物を貼り付けることができる。また、複数の保持手段をボードの表面に整列して取り付けておけば、外観上も好ましい。このため、屋内及び屋外において、掲示物を貼り付けて保持するために広く利用できる。
【００３４】
また、頭部の端部付近を押すことによって、保持手段をボードに対して弾性的に回動させて掲示物の挟持又は解除を行う場合には、バネ等の付勢手段を特に設ける必要がなく、コンパクトに構成でき、これにより外観も好ましくなる。
【００３５】
また、保持手段の脚部及びボードの貫通孔が、多角形断面を有し、貫通孔に挿入した脚部が貫通孔に対して回動不可能な場合、保持手段が貫通孔に対して自由回動して保持する突起部の位置が不規則に変わってしまうことがなく、確実に突起部を掲示物に突刺して容易に保持できる。
【００３６】
また、脚部の拡幅部によって脚部がボードから抜出するのを防止する構造の場合、抜け止め手段を別途設ける必要がない。また、拡幅部からボードに圧入して容易に取り付けることができる。また、ボードが弾性部材であるため、頭部を保持して強く抜き出せば、容易に取り外すことができる。
【図面の簡単な説明】
【００３７】
【図１】本発明の掲示具及び保持手段を示す正面図である。
【図２】図１の掲示具及び保持手段を示す図であり、同図（ａ）は拡大正面図、同図（ｂ）はＡ−Ａ線切断部断面図である。
【図３】図１の掲示具及び保持手段の使用状態を示す一部破砕Ａ−Ａ線切断部断面図である。
【図４】本発明の掲示具の他の実施形態を示す正面図である。
【図５】本発明の掲示具の更に他の実施形態を示す正面図である。
【図６】本発明の掲示具の更に他の実施形態を示す図であり、同図（ａ）は拡大正面図、同図（ｂ）はＢ−Ｂ線切断部断面図である。
【図７】本発明の掲示具の更に他の実施形態を示す図であり、同図（ａ）は拡大正面図、同図（ｂ）はＣ−Ｃ線切断部断面図である。
【図８】図７の掲示具を示す正面図である。
【符号の説明】
【００３８】
１０：掲示具
１２、５０：保持手段
１４：貫通孔
１６：ボード
１８：ポスター（掲示物）
２２：脚部
２４：頭部
２６：突起部
２８：拡幅部
３２：枠
３４：カバー
【図１】
0005114613.tif 000002
【図２】
0005114613.tif 000003
【図３】
0005114613.tif 000004
【図４】
0005114613.tif 000005
【図５】
0005114613.tif 000006
【図６】
0005114613.tif 000007
【図７】
0005114613.tif 000008
【図８】
0005114613.tif 000009